(57)【要約】【課題】異なる大きさの開封状態を選択可能としながら開封と散布が容易な人工毛収容容器を提供する。【解決手段】この人工毛収容容器８０の封止フィルム４０は対向する二つの側辺にそれぞれ摘み片４２ａ、４２ｂを備え、一方の摘み片４２ａ側から封止フィルム４０を剥離した場合には内蓋部３６の中央部分を含む領域が部分的に開封し、他方の摘み片４２ｂ側から剥離した場合には全面が開封状態となる。このため、使用者は自分の薄毛の程度に応じて開封状態を選択することができる。また、摘み片４２ａ、４２ｂが封止フィルム４０の側辺から張り出して形成されているため、使用者は容易に封止フィルム４０の剥離を行うことができる。また、部分開封状態時に内蓋部３６の中央部分が開封するため、使用者は人工毛を目的の位置に容易に散布することができる。【選択図】図１
0003197138.tif 000002
【実用新案登録請求の範囲】
【請求項１】
短繊維状の人工毛を収容する容器本体部と、前記容器本体部の口部に装着されるとともに複数の吐出孔を備えた内蓋部と、前記内蓋部を覆うとともに前記容器本体部に対して着脱自在な外蓋部と、前記内蓋部の上面に貼着された封止フィルムと、を有する人工毛収容容器において、
前記封止フィルムが対向する二つの側辺にそれぞれ摘み片を備え、
一方の摘み片側から前記封止フィルムを剥離した場合に前記封止フィルムの中央部分を含む領域が部分的に前記内蓋部から剥離するとともに、他方の摘み片側から前記封止フィルムを剥離した場合に前記封止フィルムの全体が前記内蓋部から剥離することを特徴とする人工毛収容容器。
【請求項２】
封止フィルムが、一方の摘み片を有する第１層と、他方の摘み片を有する第２層と、を有し、
前記第２層は、内蓋部上面の周縁領域に貼着し上面に離形層を備えた輪状部と、前記内蓋部上面の中央部分に位置し前記第１層の裏面に貼着した中央部と、を有することを特徴とする請求項１記載の人工毛収容容器。
【請求項３】
封止フィルムが、中央部分を含みながら略Ｕ字状に切り欠いた切断線によって中央部側の第１領域と周縁部側の第２領域とに分割され、
前記第１領域に一方の摘み片が形成されるとともに、前記第２領域に他方の摘み片が形成されることを特徴とする請求項１記載の人工毛収容容器。
【請求項４】
切断線が、中央部分を円弧で囲う曲線部と、前記曲線部の両端から直線状に延びた２つの直線部と、を有し、
前記曲線部の略中点位置と前記２つの直線部のそれぞれに第１領域と第２領域とを繋ぐ接続部を１つずつ備えることを特徴とする請求項３記載の人工毛収容容器。
【考案の詳細な説明】
【技術分野】
【０００１】
本考案は、内容物である人工毛の吐出量を調整することが可能な人工毛収容容器に関するものである。
【背景技術】
【０００２】
短繊維状の人工毛髪を使用者の薄毛部分に散布し、これを接着固定することで散布部分の薄毛を目立たなくする製品が商品化されている。そして、これら人工毛髪は通常、図７に示すように、人工毛を収容する容器本体部３２と、この容器本体部３２の口部３０に装着されるとともに複数の吐出孔３４を備えた内蓋部３６と、この内蓋部３６を覆うとともに容器本体部３２に対して着脱自在な外蓋部３８と、を有する所定の容器１０内に収容され、最初に使用する際には内蓋部３６の上面に貼着している封止フィルム４を剥離して内蓋部３６を開封する。
【０００３】
しかしながら、薄毛の程度や範囲には個人差があり、一回当たりの使用量は人によって異なる。そして、従来の容器１０では内容物の吐出量を変化させることができず、薄毛部分が少ない場合でも多量の人工毛が吐出してしまう場合があり、これを防止するべく内蓋部３６の開口率を減少すれば薄毛部分が広範な使用者にとって適量の人工毛を吐出させるのに時間を要するという問題点があった。
【０００４】
この問題点に対し、本願考案者らは下記［特許文献１］に記載の容器を考案した。この［特許文献１］に記載の容器は、図８（ａ）に示すように、封止フィルム６に同心円状で半径の異なる複数の切目Ｃを設け、使用者が剥離する切目Ｃを選ぶことで蓋の開封領域（剥離領域６Ａ、６Ｂ、６Ｃ）の大きさを選択可能としている。これにより、使用者は容器の吐出量を自分に適したものとすることができる。
【先行技術文献】
【特許文献】
【０００５】
【特許文献１】実用新案登録第３１０７４４５号公報
【考案の概要】
【考案が解決しようとする課題】
【０００６】
しかしながら、［特許文献１］に記載の考案は剥離領域６Ａ、６Ｂ、６Ｃを剥離するための摘み片８が封止フィルム６の面内に存在し、摘みづらいという問題点がある。また、図８（ｂ）に示す、［特許文献１］の他の形態の封止フィルム１６は、摘み片１８が封止フィルム１６の側辺に形成されているものの、サイドに位置する剥離領域１６Ａ、１６Ｃが内蓋部３６の中央部分から外れており、目視による確認が困難な頭部への散布においては使用者が目的の位置に散布し難いという問題点がある。
【０００７】
本考案は上記事情に鑑みてなされたものであり、異なる大きさの開封状態を選択可能としながら開封と散布が容易な人工毛収容容器を提供することを目的とする。
【課題を解決するための手段】
【０００８】
本考案は、
（１）短繊維状の人工毛を収容する容器本体部３２と、前記容器本体部３２の口部３０に装着されるとともに複数の吐出孔３４を備えた内蓋部３６と、前記内蓋部３６を覆うとともに前記容器本体部３２に対して着脱自在な外蓋部３８と、前記内蓋部３６の上面に貼着された封止フィルム４０と、を有する人工毛収容容器８０において、
前記封止フィルム４０が対向する二つの側辺にそれぞれ摘み片４２ａ、４２ｂを備え、一方の摘み片４２ａ側から前記封止フィルム４０を剥離した場合に前記封止フィルム４０の中央部分を含む領域が部分的に前記内蓋部３６から剥離するとともに、他方の摘み片４２ｂ側から前記封止フィルム４０を剥離した場合に前記封止フィルム４０の全体が前記内蓋部３６から剥離することを特徴とする人工毛収容容器８０を提供することにより、上記課題を解決する。
（２）封止フィルム４０が、一方の摘み片４２ａを有する第１層５０ａと、他方の摘み片４２ｂを有する第２層５０ｂと、を有し、
前記第２層５０ｂは、内蓋部３６上面の周縁領域に貼着し上面に離形層５８ｂを備えた輪状部４４ｂと、前記内蓋部３６上面の中央部分に位置し前記第１層５０ａの裏面に貼着した中央部４４ａと、を有することを特徴とする上記（１）記載の人工毛収容容器８０を提供することにより、上記課題を解決する。
（３）封止フィルム４０が、中央部分を含みながら略Ｕ字状に切り欠いた切断線２０ｂによって中央部側の第１領域６０ａと周縁部側の第２領域６０ｂとに分割され、前記第１領域６０ａに一方の摘み片４２ａが形成されるとともに、前記第２領域６０ｂに他方の摘み片４２ｂが形成されることを特徴とする上記（１）記載の人工毛収容容器８０を提供することにより、上記課題を解決する。
（４）切断線２０ｂが、中央部分を円弧で囲う曲線部２２と、前記曲線部２２の両端から直線状に延びた２つの直線部２４と、を有し、
前記曲線部２２の略中点位置と前記２つの直線部２４のそれぞれに第１領域６０ａと第２領域６０ｂとを繋ぐ接続部２６ａ、２６ｂを１つずつ備えることを特徴とする上記（３）記載の人工毛収容容器８０を提供することにより、上記課題を解決する。
【考案の効果】
【０００９】
本考案に係る人工毛収容容器の封止フィルムは開封状態を選択する摘み片が封止フィルムの側辺から張り出して形成されているため、使用者が容易に摘まんで封止フィルムの剥離を行うことができる。また、部分開封状態時でも内蓋部の中央部分が開封するため、使用者は人工毛を目的の位置に容易に散布することができる。
【図面の簡単な説明】
【００１０】
【図１】本考案に係る人工毛収容容器の分解斜視図である。
【図２】本考案に係る第１の形態の封止フィルムの上面図である。
【図３】本考案に係る第１の形態の封止フィルムの模式断面図である。
【図４】本考案に係る第１の形態の封止フィルムの開封状態を示す図である。
【図５】本考案に係る第２の形態の封止フィルムの上面図である。
【図６】本考案に係る第２の形態の封止フィルムの開封状態を示す図である。
【図７】従来の人工毛収容容器の分解斜視図である。
【図８】従来の封止フィルムを示す図である。
【考案を実施するための形態】
【００１１】
本考案に係る人工毛収容容器の実施の形態について図面に基づいて説明する。尚、従来と同一の部材に関しては同符号で示す。ここで、図１は本考案に係る人工毛収容容器８０の分解斜視図である。図１に示す人工毛収容容器８０は、短繊維状の人工毛を収容する容器本体部３２と、この容器本体部３２の口部３０に装着されるとともに複数の吐出孔３４を備えた内蓋部３６と、この内蓋部３６を覆うとともに容器本体部３２に対して着脱自在な外蓋部３８と、内蓋部３６の上面に貼着し吐出孔３４を閉塞する封止フィルム４０と、を有している。そして、本考案に係る封止フィルム４０は対向する二つの側辺にそれぞれ摘み片４２ａ、４２ｂを備えている。
【００１２】
ここで、人工毛収容容器８０に収容する人工毛は、使用者の頭皮もしくは地毛に接着することで薄毛を目立たなくするものであり、レーヨンに代表される再生繊維、アセテート等のセルロース系やタンパク質系の半合成繊維、ナイロン、ビニロン、ビニリデン、ポリ塩化ビニル、ポリエステル、アクリル、ポリエチレン、ポリプロピレン、ポリウレタン、ベンゾエート、ポリクラール等の合成繊維、ガラス繊維や炭素繊維などの無機繊維、動植物系の天然繊維などを用いることができる。また、人工毛の太さは１０デニール〜６０デニール程度であり、長さは概ね０．１ｍｍ〜１ｍｍ程度である。また、人工毛は人に無害な染料にて黒、ブラウン、グレー、ブロンド、白等の人間の毛髪と同等の色に着色される。また、人工毛は人に無害な顔料を練り込んでから繊維化する原着製法にて着色したものを用いても良い。尚、人工毛は長さの異なる複数の人工毛を所定の割合で混合しても良いし、直線形の人工毛と不規則に曲がった人工毛とを所定の割合で混合しボリューム感を出すようにしても良い。
【００１３】
また、人工毛収容容器８０の容器本体部３２はガラス材料やポリエチレン、ポリスチレン等の容易に変形しない硬質の合成樹脂材料やＥＶＡ、軟質ＰＥ、ポリブテン等の弾性変形可能な軟質の合成樹脂材料で形成され、上端に形成された口部３０の外周面には外蓋部３８と螺合するネジ山が形成されている。また、外蓋部３８は人工毛収容容器８０の不使用時に内蓋部３６を閉塞し、容器本体部３２内への異物の混入や内容物（人工毛）の飛散を防止するものであり、硬質の合成樹脂材料で形成され、内周面に口部３０のネジ山と螺合するネジ溝が形成されている。
【００１４】
また、人工毛収容容器８０の内蓋部３６もポリエチレン、ポリスチレン等の周知の合成樹脂材料で形成され、特に後述の図３（ｂ）に示すように、表面側に位置する第１の内蓋部３６ａと、容器本体部３２側に位置する第２の内蓋部３６ｂとを所定の間隔を取って組み合わせて構成することが好ましい。尚、このときの第２の内蓋部３６ｂの吐出孔３４’は第１の内蓋部３６ａの吐出孔３４よりも大径とすることが好ましい。この構成では、人工毛の散布時に容器本体部３２内の人工毛は先ず第２の内蓋部３６ｂに当たり、その一部が吐出孔３４’を通って第１の内蓋部３６ａ側に供給される。そして、第１の内蓋部３６ａの吐出孔３４を通って使用者の頭皮及び地毛部分に吐出する。このため、第２の内蓋部３６ｂは特に容器本体部３２内の人工毛の残量が少ない場合に、多量の人工毛が一気に第１の内蓋部３６ａ側へ供給されることを防止する緩衝壁として機能する。これにより、第１の内蓋部３６ａへの人工毛の供給量が略均一化され人工毛の大量吐出を防止することができる。
【００１５】
尚、容器本体部３２及び外蓋部３８の形状は上記の例に限定されるわけではなく、例えば容器本体部３２の外形、及び外蓋部３８の外形を略角型としても良い。また、略円筒形の容器本体部３２を略角型の外容器に入れ、２重壁構造としても良い。さらに、容器本体部３２と外蓋部３８との取付手法はネジ式に限定されるわけではなく、例えば嵌め込み式としても良い。
【００１６】
次に、本考案に係る人工毛収容容器８０の第１の形態の封止フィルム４０ａに関して説明する。ここで、図２（ａ）は本考案に係る第１の形態の封止フィルム４０ａの上面図であり、図２（ｂ）は第１の形態の封止フィルム４０ａの第２層５０ｂの上面図である。また、図３（ａ）は封止フィルム４０ａのＸ−Ｘ線における模式分解断面図であり、図３（ｂ）は内蓋部３６に貼着した状態の封止フィルム４０ａの模式断面図である。
【００１７】
本考案に係る第１の形態の封止フィルム４０ａは、図２、図３に示すように、一方の摘み片４２ａを有する表層側の第１層５０ａと、他方の摘み片４２ｂを有する内蓋部３６側の第２層５０ｂと、を有している。そして、封止フィルム４０ａの第１層５０ａは、ポリエチレンやポリプロピレン、紙等で形成されたシート層５２ａと、このシート層５２ａの裏面側に設けられた粘着剤層５４ａと、を有している。尚、第１層５０ａの摘み片４２ａ部分の粘着剤層５４ａには糊殺し剤が印刷塗布されて糊殺し層５６ａが形成され、使用者が摘み片４２ａを摘まんだ時の指への粘着を防止する。
【００１８】
また、封止フィルム４０ａを構成する第２層５０ｂは、第１層５０ａと同様にポリエチレンやポリプロピレン、紙等で形成されたシート層５２ｂと、このシート層５２ｂの裏面側に設けられた粘着剤層５４ｂと、を有している。また、第２層５０ｂは、図２（ｂ）に示すように、中央部分を円形に囲うように切断線２０ａが形成され、この切断線２０ａによって内側の中央部４４ａと、摘み片４２ｂを有するとともに中央部分を囲うリング状の輪状部４４ｂとに分割される。そして、中央部４４ａの粘着剤層５４ｂには糊殺し剤が印刷塗布されて糊殺し層５６ｂが形成される。また、輪状部４４ｂの上面にはシリコンニス等の離形剤が印刷塗布されて離形層５８ｂが形成される。尚、摘み片４２ｂ部分の粘着剤層５４ｂにも摘み片４２ａと同様に糊殺し層５６ｂが形成され、使用者が摘み片４２ｂを摘まんだ時の指への粘着を防止する。
【００１９】
そして、第１の形態の封止フィルム４０ａは、第２層５０ｂ上に第１層５０ａを貼着して構成される。このとき、第２層５０ｂの中央部４４ａは第１層５０ａの粘着剤層５４ａによって第１層５０ａに貼着する。ただし、上面に離形層５８ｂが存在する輪状部４４ｂは第１層５０ａには貼着せず、第１層５０ａから容易に剥離する仮貼着の状態となる。また、輪状部４４ｂの粘着剤層５４ｂは内蓋部３６上面の周縁領域に貼着してこの領域の吐出孔３４を閉塞する。これに対し中央部４４ａは、粘着剤層５４ｂに糊殺し層５６ｂが存在するため内蓋部３６には貼着せず、内蓋部３６の中央部分に仮貼着状態で位置し、この領域の吐出孔３４を閉塞する。
【００２０】
そして、薄毛部分の少ない使用者の場合は、封止フィルム４０ａの第１層５０ａ側の摘み片４２ａを摘まんで内蓋部３６を開封する。このとき、第２層５０ｂの輪状部４４ｂは離形層５８ｂにより第１層５０ａとは仮貼着の状態にあるため、第１層５０ａから分離して内蓋部３６上に残留し、内蓋部３６の周縁領域の吐出孔３４の閉塞を維持する。これに対し第１層５０ａに貼着した中央部４４ａは第１層５０ａとともに内蓋部３６から剥離し、内蓋部３６の中央部分の吐出孔３４を露出させる。これにより、内蓋部３６は、図４（ａ）に示すように、中央部分のみが部分的に開封した吐出範囲の狭い部分開封状態となる。これにより、薄毛部分の少ない使用者に適した狭範囲の人工毛の散布が可能となる。
【００２１】
また、薄毛部分が広範な使用者の場合は、封止フィルム４０ａの第２層５０ｂ側の摘み片４２ｂを摘まんで内蓋部３６を開封する。これにより、摘み片４２ｂを有する輪状部４４ｂは、この輪状部４４ｂ上に仮貼着した第１層５０ａと、第１層５０ａに貼着した中央部４４ａとを一体的に内蓋部３６から剥離し、図４（ｂ）に示すように、内蓋部３６の全面の吐出孔３４を露出させる。これにより、内蓋部３６は全面が開封状態となる。これにより、人工毛収容容器８０からの人工毛の吐出範囲は最大となり、薄毛部分が広範の使用者に適した広範囲の人工毛の散布が可能となる。
【００２２】
次に、本考案に係る第２の形態の封止フィルム４０ｂに関して説明する。ここで、図５は第２の形態の封止フィルム４０ｂの上面図である。本考案に係る第２の形態の封止フィルム４０ｂは、前述の封止フィルム４０ａと同様にポリエチレンやポリプロピレン、紙等で形成され、対向する二つの側辺にそれぞれ摘み片４２ａ、４２ｂを備えている。また、封止フィルム４０ｂは、裏面の図示しない粘着剤層によって内蓋部３６の上面に貼着し、吐出孔３４を閉塞する。さらに、封止フィルム４０ｂは、中央部分を含みながら略Ｕ字状に切り欠いた切断線２０ｂによって中央部分を含む側の第１領域６０ａと周縁部側の第２領域６０ｂとに分割され、第１領域６０ａの側に一方の摘み片４２ａが形成されるとともに、第２領域６０ｂの側に他方の摘み片４２ｂが形成される。また、封止フィルム４０ｂの切断線２０ｂは、封止フィルム４０ｂの中央部分を円弧で囲う曲線部２２と、この曲線部２２の両端から封止フィルム４０ｂの側辺に向けて直線状に延びた２つの直線部２４と、を有している。そして、曲線部２２の略中点位置と直線部２４のそれぞれには、第１領域６０ａと第２領域６０ｂとを繋ぐ接続部２６ａ、２６ｂが非切断領域によって形成される。
【００２３】
そして、薄毛部分の少ない使用者の場合は、封止フィルム４０ｂの第１領域６０ａ側の摘み片４２ａを摘まんで内蓋部３６を開封する。これにより、封止フィルム４０ｂの第１領域６０ａは直線部２４の側縁端Ｐから直線部２４に沿って第２領域６０ｂ側と分離し、直線部２４に形成された接続部２６ａを直線部２４に沿って切断する。そして、曲線部２２の両端に達して、この曲線部２２を両側から剥離する。そして、最後に残った接続部２６ａが切断して、封止フィルム４０ｂの第１領域６０ａが内蓋部３６から剥離する。このとき、外側の第２領域６０ｂは内蓋部３６上面に残留して内蓋部３６の周縁領域に位置する吐出孔３４の閉塞を維持する。これにより、内蓋部３６は、図６（ａ）に示すように、封止フィルム４０ｂの中央部分を含む領域のみが部分的に開封した吐出範囲の狭い部分開封状態となる。これにより、薄毛部分の少ない使用者に適した狭範囲の人工毛の散布が可能となる。
【００２４】
また、薄毛部分が広範な使用者の場合は、封止フィルム４０ｂの第２領域６０ｂ側の摘み片４２ｂを摘まんで内蓋部３６を開封する。これにより、第２領域６０ｂが摘み片４２ｂ側から徐々に剥離する。このとき曲線部２２の略中点位置に存在する接続部２６ａは剥離の進行方向に抗する方向、即ち剥離方向とは略垂直な方向を向いているため切断せず、第１領域６０ａと第２領域６０ｂとの接続状態を維持する。よって、第１領域６０ａは第２領域６０ｂとともに内蓋部３６から剥離し、図６（ｂ）に示すように、内蓋部３６の全面の吐出孔３４が露出した全面開封状態となる。これにより、人工毛収容容器８０からの人工毛の吐出範囲は最大となり、薄毛部分が広範の使用者に適した広範囲の人工毛の散布が可能となる。
【００２５】
そして、上記のようにして、薄毛部分への人工毛の散布が終了すると、使用者は人工毛の散布部分の頭皮及び地毛に糊剤をスプレー等により噴霧する。これにより、人工毛収容容器８０から吐出された人工毛は、噴霧された糊剤によって使用者の頭皮及び地毛部分に接着し、これらの部分の薄毛を目立たなくする。
【００２６】
以上のように、本考案に係る人工毛収容容器８０の封止フィルム４０は対向する二つの側辺にそれぞれ摘み片４２ａ、４２ｂを備え、一方の摘み片４２ａ側から封止フィルム４０を剥離した場合には内蓋部３６の中央部分を含む領域が部分的に開封した部分開封状態となる。また、他方の摘み片４２ｂ側から封止フィルム４０を剥離した場合には内蓋部３６の全面が開封状態となる。このため、使用者は自分の薄毛の程度に応じて、開封状態を選択することができる。
【００２７】
また、本考案に係る封止フィルム４０は摘み片４２ａ、４２ｂが封止フィルム４０の側辺から張り出して形成されているため、使用者が容易に摘まんで封止フィルム４０の剥離を行うことができることに加え、部分開封状態時に内蓋部３６の中央部分が開封する。このため、使用者は鏡を見ながら人工毛を目的の位置に容易に散布することができる。
【００２８】
尚、上記に示した人工毛収容容器８０の各部の構成、及び、封止フィルム４０ａ、４０ｂの各部の形状、寸法、層構成等は一例であるから、上記の例に限定されるわけではなく、本考案は本考案の要旨を逸脱しない範囲で変更して実施することが可能である。
【符号の説明】
【００２９】
２０ｂ  切断線
２２    曲線部
２４    直線部
２６ａ、２６ｂ  接続部
３０    口部
３２    容器本体部
３４    吐出孔
３６    内蓋部
３８    外蓋部
４０、４０ａ、４０ｂ  封止フィルム
４２ａ、４２ｂ  摘み片
４４ａ  中央部
４４ｂ  輪状部
５０ａ  第１層
５０ｂ  第２層
５８ｂ  離形層
６０ａ  第１領域
６０ｂ  第２領域
８０    人工毛収容容器
【図１】
0003197138.tif 000003
【図２】
0003197138.tif 000004
【図３】
0003197138.tif 000005
【図４】
0003197138.tif 000006
【図５】
0003197138.tif 000007
【図６】
0003197138.tif 000008
【図７】
0003197138.tif 000009
【図８】
0003197138.tif 000010